(57)【要約】【課題】  配電盤室に新設の配電盤を設置するスペースが確保できない場合や、長時間のシステムの停止が許されない場合でも、取替えが容易にできる配電盤と、その取替え工法を提供する。【解決手段】  直方体形状で、底部の四隅に当該配電盤の底部の水平状態を維持したまま当該配電盤を上下動させる上下動機構が取り付けられていると供に、当該上下動機構を駆動する駆動機構が、当該配電盤の下部に備えられている配電盤。既設の配電盤を新設の配電盤に取り替える工法において、既設の配電盤をその設置されている位置において上方にかさ上げするステップと、上方にかさ上げされた既設の配電盤に接続されていたケーブルを仮設した新設する配電盤に接続替えするステップと、既設の配電盤を撤去するステップと、仮設している新設する配電盤を既設の配電盤の撤去により空いたスペースに移設するステップとからなる配電盤の取替え工法。【選択図】  図１
2007097340.tif 000002
【特許請求の範囲】
【請求項１】
直方体形状の配電盤であって、底部の四隅に当該配電盤の底部の水平状態を維持したまま当該配電盤を上下動させる上下動機構が取り付けられていると供に、当該上下動機構を駆動する駆動機構が、当該配電盤の下部に備えられていることを特徴とする配電盤。
【請求項２】
配電盤の底部の四隅に取り付けられている上下動機構は、
配電盤の底部の四隅にそれぞれ取り付けられている４個のナットと、
各ナットに螺合され、鉛直方向に伸びてそれぞれの中心軸の周りで回転する４本のボルトとからなり、
上下動機構を駆動する駆動機構は、
水平方向に延びて、配電盤の底部四隅の一方の側に取り付けられている２個のナットにそれぞれ螺合している２本の前記ボルトと螺合し、中心軸の周りで回転する第一のねじ杆体と、
水平方向に延びて、配電盤の底部四隅の他方の側に取り付けられている２個のナットにそれぞれ螺合している他の２本の前記ボルトと螺合し、中心軸の周りで回転する第二のねじ杆体と、
水平方向に延びて、当該第一のねじ杆体及び第二のねじ杆体に両端側でそれぞれ螺合し、中心軸の周りで回転する第三のねじ杆体及び、
当該第三のねじ杆体をその中心軸の周りに回転させる回転駆動機構と
からなることを特徴とする請求項１記載の配電盤。
【請求項３】
既設の配電盤を新設の配電盤に取り替える工法において、
既設の配電盤をその設置されている位置において上方にかさ上げするステップと、
上方にかさ上げされた既設の配電盤に接続されていたケーブルを仮設した新設する配電盤に接続替えするステップと、
既設の配電盤を撤去するステップと、
仮設している新設する配電盤を既設の配電盤の撤去により空いたスペースに移設するステップと
からなることを特徴とする配電盤の取替え工法。
【請求項４】
配電盤は直方体形状であって、底部の四隅に当該配電盤の底部の水平状態を維持したまま当該配電盤を上下動させる上下動機構が取り付けられていると供に、当該上下動機構を駆動する駆動機構が、当該配電盤の下部に備えられているものであって、
既設の配電盤を上方にかさ上げするステップは、
前記駆動機構及び、上下動機構により、配電盤をその底部の水平状態を維持したまま鉛直上方に持ち上げるものであることを特徴とする請求項３記載の配電盤の取替え工法。
【発明の詳細な説明】
【技術分野】
【０００１】
この発明は、保護継電器盤、遠隔監視制御盤等のいわゆる配電盤に係り、特に、既設の配電盤を新設の配電盤に容易に取替えできるようにした配電盤の構造と取替えの工法に関する。
【背景技術】
【０００２】
従来から保護継電器盤、遠隔監視制御盤等のいわゆる配電盤が電力系統の中で多用されている。このような配電盤には各種の構造のものが知られ、また、その改良も頻繁に行われている。例えば、外フレームの内側に内フレームが収容され、外フレームと内フレームの間隙に介在させた防振ゴムの交換が容易に行えるようにした配電盤などが知られている（特許文献１）。
【特許文献１】特開２００２−２８１６１６号公報
【発明の開示】
【発明が解決しようとする課題】
【０００３】
ところで、この種の配電盤は、老巧化等によって取替えの必要が生じる。配電盤室に設置されていた既設の配電盤を、新しい新設の配電盤に取り替えるにあたっては、配電盤室において新設の配電盤を既設の配電盤とは別の位置に設置し、既設の配電盤に接続されていたケーブルを、逐次、既設の配電盤から新設の配電盤に切り替えていく方法が採用されている。また、システムの長時間の停止が可能の場合は、既設の配電盤を撤去し、その同じ場所に新設の配電盤を設置してケーブルを接続する方法が採られている。
【０００４】
このため、配電盤室が狭く、新設の配電盤を設置するスペースが確保できない場合や、システムの長時間の停止が許されない場合などには、配電盤の取替えに困難が伴っていた。
【０００５】
この発明は、上記のような問題点に鑑みて成されたもので、配電盤室に新設の配電盤を設置するスペースが確保できない場合や、長時間のシステムの停止が許されない場合でも、取替えが容易にできる配電盤と、その取替え工法を提供することを目的としている。
【課題を解決するための手段】
【０００６】
前記課題を解決するため、この発明が提案する配電盤は、直方体形状の配電盤であって、底部の四隅に当該配電盤の底部の水平状態を維持したまま当該配電盤を上下動させる上下動機構が取り付けられていると供に、当該上下動機構を駆動する駆動機構が、当該配電盤の下部に備えられていることを特徴とするものである。
【０００７】
前記のように、配電盤の底部の水平状態を維持したまま当該配電盤を上下動させる上下動機構が配電盤の底部の四隅に取り付けられているので、配電盤をその設置されている位置において、配電盤の底部の水平状態を維持したまま上側に２０ｃｍ程度持ち上げ、すなわち、２０ｃｍ程度かさ上げし、このかさ上げによって生じたスペースを利用して、既設の配電盤を新しい配電盤に取り替えるときのケーブルの切り替えを行うことができる。そこで、配電盤室に新設の配電盤を設置するスペースが確保できない場合や、長時間のシステムの停止が許されない場合でも、取替えを簡単に行うことができる。
【０００８】
なお、前記本発明の配電盤において、配電盤の底部の四隅に取り付けられている上下動機構は、配電盤の底部の四隅にそれぞれ取り付けられている４個のナットと、各ナットに螺合され、鉛直方向に伸びてそれぞれの中心軸の周りで回転する４本のボルトとからなるものにすることができる。
【０００９】
また、上下動機構を駆動する駆動機構は、水平方向に延びて、配電盤の底部四隅の一方の側に取り付けられている２個のナットにそれぞれ螺合している２本の前記ボルトと螺合し、中心軸の周りで回転する第一のねじ杆体と、水平方向に延びて、配電盤の底部四隅の他方の側に取り付けられている２個のナットにそれぞれ螺合している他の２本の前記ボルトと螺合し、中心軸の周りで回転する第二のねじ杆体と、水平方向に延びて、当該第一のねじ杆体及び第二のねじ杆体に両端側でそれぞれ螺合し、中心軸の周りで回転する第三のねじ杆体及び、当該第三のねじ杆体をその中心軸の周りに回転させる回転駆動機構とからなるものにすることができる。
【００１０】
前記の第三のねじ杆体をその中心軸の周りに回転させる回転駆動機構としては、例えば、第三のねじ杆体の中央部に螺着されている駆動部に、外部からハンドルの先端を差し込み、当該ハンドルをその中心軸の周りに回転させることによって、第三のねじ杆体をその中心軸の周りに回転させる回転駆動機構を採用することができる。
【００１１】
かかる構成からなる上下動機構及び、当該上下動機構を駆動する駆動機構を採用することにより、例えば、前記の回転駆動機構を構成するハンドルの先端を、第三のねじ杆体の中央部に螺着されている駆動部に差し込み、このハンドルをその中心軸の周りに回転させることにより、第三のねじ杆体をその中心軸の周りに回転させ、これによって、第二のねじ杆体及び第三のねじ杆体を同期させてそれぞれの中心軸の周りに回転させ、更に、配電盤の底部の四隅にそれぞれ取り付けられている４個のナットに螺合している４本のボルトを同期させてそれぞれの中心軸の周りに回転させ、配電盤の底部の水平状態を維持したまま、配電盤を上下動させることができる。例えば、配電盤をその設置されている位置において、配電盤の底部の水平状態を維持したまま上側に２０ｃｍ程度持ち上げ、すなわち、２０ｃｍ程度かさ上げすることができる。
【００１２】
次に、前記課題を解決するため、この発明が提案する配電盤の取替え工法は、  既設の配電盤を新設の配電盤に取り替える工法において、既設の配電盤をその設置されている位置において上方にかさ上げするステップと、上方にかさ上げされた既設の配電盤に接続されていたケーブルを仮設した新設する配電盤に接続替えするステップと、既設の配電盤を撤去するステップと、仮設している新設する配電盤を既設の配電盤の撤去により空いたスペースに移設するステップとからなることを特徴とするものである。
【００１３】
かかる配電盤の取替え工法によれば、配電盤をその設置されている位置において、上側に２０ｃｍ程度持ち上げ、すなわち、２０ｃｍ程度かさ上げし、このかさ上げによって生じたスペースを利用して、既設の配電盤を新しい配電盤に取り替えるときのケーブルの切り替えを行うことができる。そこで、配電盤室に新設の配電盤を設置するスペースが確保できない場合や、長時間のシステムの停止が許されない場合でも、取替えを簡単に行うことができる。
【００１４】
前記本発明の配電盤の取替え工法において、配電盤としては、前述したように、配電盤をその設置されている位置において、配電盤の底部の水平状態を維持したまま上側に持ち上げ、すなわち、かさ上げできる本発明の配電盤を用いることができる。
【００１５】
すなわち、前述した本発明の配電盤の取替え工法において、配電盤として直方体形状であって、底部の四隅に当該配電盤の底部の水平状態を維持したまま当該配電盤を上下動させる上下動機構が取り付けられていると供に、当該上下動機構を駆動する駆動機構が、当該配電盤の下部に備えられているものを用い、既設の配電盤を上方にかさ上げするステップは、前記駆動機構及び、上下動機構により、配電盤をその底部の水平状態を維持したまま鉛直上方に持ち上げるようにすることができる。
【００１６】
なお、本発明の配電盤の取替え工法は、既設の配電盤をその設置されている位置において上方にかさ上げするステップと、上方にかさ上げされた既設の配電盤に接続されていたケーブルを仮設した新設する配電盤に接続替えするステップと、既設の配電盤を撤去するステップと、仮設している新設する配電盤を既設の配電盤の撤去により空いたスペースに移設するステップとからなることを特徴とするものであるから、従来公知のジャッキなどの持ち上げ手段を用いて、既設の配電盤をその設置されている位置において上方にかさ上げするようにすることもできる。
【００１７】
以上の本発明の配電盤、配電盤の取替え工法において、配電盤の実施形態としては、直方体形状の箱体に、保護継電器や、遠隔監視制御装置などが収容されているものがある。
【発明の効果】
【００１８】
この発明の配電盤と配電盤の取替え工法によれば、配電盤の底部の水平状態を維持したまま当該配電盤を上下動させる上下動機構が配電盤の底部の四隅に取り付けられているので、配電盤をその設置されている位置において、配電盤の底部の水平状態を維持したまま上側に２０ｃｍ程度持ち上げ、すなわち、２０ｃｍ程度かさ上げすることができる。
【００１９】
そこで、このかさ上げによって生じたスペースを利用して、既設の配電盤を新しい配電盤に取り替えるときのケーブルの切り替えを行うことができる。すなわち、かさ上げによって生じた下部のスペースにおいて、既設の配電盤に接続されていたケーブルを引き出して、配電盤室の任意の場所に仮設した新設する配電盤にケーブルを接続替えすることで、既設の配電盤から新設する配電盤に簡単に運用を切り替えることができる。そして、切り替えが完了した後は、既設の配電盤を撤去し、撤去により空いたスペースに新設する配電盤を仮設位置から移設することで、配電盤の取替え工事を完了することができる。即ち、配電盤室が狭く、新設の配電盤を設置するスペースが確保できなくても、また、システムの長時間の停止が許されない場合でも、簡単に配電盤の取替えができる効果がある。
【発明を実施するための最良の形態】
【００２０】
以下、この発明の実施の形態を添付の図を参照して説明する。
【００２１】
図１、図２は、保護継電器あるいは遠隔監視制御装置（いずれも不図示）などが直方体形状の箱体１１に収容されてなる本発明の配電盤１０における箱体１１の下部をあらわすものである。
【００２２】
すなわち、図１、図２は、箱体１１の下部に取り付けられる上下動機構及び、当該上下動機構を駆動する駆動機構を説明するものであって、図１は正面図、図２は平面図である。なお、図１においては、第三のねじ杆体の中央部に螺着されている駆動部に先端が差し込まれる回転駆動機構を構成するハンドルについては、説明を簡単にするため、斜視図で表している。
【００２３】
箱体１１の底部四隅にはナット１２がそれぞれ固定してあり、各ナット１２にボルト１３が螺合している。図示の実施形態では、前記のように箱体１１の底部の四隅にそれぞれ取り付けられている４個のナットと、各ナットに螺合され、鉛直方向に伸びてそれぞれの中心軸の周りで回転する４本のボルトとによって、配電盤１０の底部の四隅に取り付けられている上下動機構が構成されている。
【００２４】
この上下動機構を駆動する駆動機構１４は、図示の実施形態においては、水平方向に延びて、箱体１１の底部四隅の一方の側に取り付けられている２個のナット１２にそれぞれ螺合している２本のボルト１３と螺合し、中心軸の周りで回転する第一のねじ杆体１５、同じく、水平方向に延びて、箱体１１の底部四隅の他方の側に取り付けられている２個のナット１２にそれぞれ螺合している他の２本のボルト１３と螺合し、中心軸の周りで回転する第二のねじ杆体１６と、水平方向に延びて、第一のねじ杆体１５及び第二のねじ杆体１６に両端側でそれぞれ螺合し、中心軸の周りで回転する第三のねじ杆体１７及び、第三のねじ杆体１７をその中心軸の周りに回転させる回転駆動機構とから構成されている。
【００２５】
また、図示の実施形態では、第三のねじ杆体１７をその中心軸の周りに回転させる回転駆動機構として、第三のねじ杆体１７の中央部に螺着している駆動部１９に、外部からハンドル１８の先端を差し込み、矢印４０ａ、４０ｂで示すように（図２）、ハンドル１８をその中心軸の周りに回転させることによって、第三のねじ杆体１７をその中心軸の周りに回転させる機構が採用されている。
【００２６】
図示の実施形態では、ハンドル１８の先端を第三のねじ杆体１７の中央部に螺着している駆動部１９に差し込み、ハンドル１８を、図２に矢印４０ａ、４０ｂで示すように、その中心軸の周りに回転させることにより、第三のねじ杆体１７をその中心軸の周りに回転させる。これによって、第二のねじ杆体１５及び第三のねじ杆体１６を同期させてそれぞれの中心軸の周りに回転させ、箱体１１の底部四隅にそれぞれ取り付けられている４個のナット１２に螺合している４本のボルト１３を同期してそれぞれの中心軸の周りに回転させる。こうして、配電盤１０の底部の水平状態を維持したまま、配電盤１０を、矢印４１ａ、４１ｂ（図１）のように上下動させ、例えば、配電盤１０をその設置されている位置において、配電盤１０の底部の水平状態を維持したまま上側に２０ｃｍ程度持ち上げ、すなわち、２０ｃｍ程度かさ上げすることができる
次に、上記のように構成されている配電盤１０の配電盤室３０における設置と取替えについて、図３、４を参照して説明する。図３は配電盤室３０のレイアウト図であり、図４は配電盤１０の取替えを説明する正面図である。各図において、１０は既設の配電盤であり、１０Ａは新設する配電盤である。
【００２７】
図３図示の実施形態では、配電盤室３０には、５台の配電盤（既設）１０が並べて設置されている。取替え工事は、新設の配電盤１０Ａを取り替え対象の既設の配電盤１０の近くに仮設してはじめる。
【００２８】
先ず、取り替え対象の既設の配電盤１０のかさ上げを行う。かさ上げは、前記に説明したように、対象の配電盤１０を構成している箱体１１の底部前面からハンドル１８を差し込んで駆動機構１４を操作し、箱体１１の底部四隅に設置されたボルト１３を下方に突出させることで行う。図４には、こうして取り替え対象の既設の配電盤１０がかさ上げされた状態で示されている。
【００２９】
次に、配電盤１０のかさ上げによって下部のスペースに露出したケーブル２０の、既設の配電盤１０との接続を切り離し、このケーブル２０を仮設位置に置かれている新設する配電盤１０Ａに接続替えする。この段階で取替え工事における電気系統の作業は完了し、新設する配電盤１０Ａの運用に切り替えることができる。
【００３０】
ケーブル２０の接続替えが完了した後は、既設の配電盤１０を外部に撤去し、撤去により空いたスペースに新設の配電盤１０Ａを移設して、取替え工事の全てを完了することができる。
【００３１】
このように、配電盤室３０に新設する配電盤１０Ａを配置するスペースが確保できなくても、実施形態の配電盤１０によれば、簡単に取り替えることができる。また、ケーブル２０の接続替えも簡単且つ短時間のうちにできるので、長時間の停止が許されないシステムの場合でも対応することができる。
【図面の簡単な説明】
【００３２】
【図１】この発明の配電盤を説明する正面図であって、一部を省略し、底部に備えられている上下動機構及び当該上下動機構を駆動する機構を説明する正面図。
【図２】この発明の配電盤の底部に備えられている上下動機構及び当該上下動機構を駆動する機構を説明する平面図。
【図３】この発明の配電盤の取替え工法を説明する図であって、複数の配電盤が設置されている配電盤室において配電盤の取替えが行われる状態を説明する平面図。
【図４】この発明の配電盤の取替え工法において、撤去する既設の配電盤がかさ上げされた状態を説明する正面図。
【符号の説明】
【００３３】
１０、１０Ａ      配電盤
１１              箱体
１２              ナット
１３              ボルト
１４              駆動機構
１５              第一のねじ杆体
１６              第二のねじ杆体
１７              第三のねじ杆体
１８              ハンドル
１９              駆動部
２０              ケーブル
３０              配電盤室
【図１】
2007097340.tif 000003
【図２】
2007097340.tif 000004
【図３】
2007097340.tif 000005
【図４】
2007097340.tif 000006